(57)【要約】【課題】記憶領域の増加を防止し、長時間のビデオを処理することができるビデオの再生編集方法及びその装置を提供する。【解決手段】本発明のビデオの再生編集方法及びその装置は、インデックス・ファイル２４を読込み、インデックス・ファイル２４に基づいてビデオ・ファイル２５からビデオ・データを読込む。次に、ビデオ・アプリケーション２１でビデオを再生編集し、コーデック２３は、新たなインデックス・ファイルを作成すし、ビデオ・データ・ファイル２５にこの新たなインデックス・ファイルを記憶する。ビデオの再生及び編集の際に、インデックス・ファイル２４に基づいてビデオ・データを読込むため、長時間のビデオを処理することができ、また、編集後に記憶するファイルをインデックス・ファイル２４のみにすることができるため、記憶領域の増加を防止することができる。【選択図】図２
2008091017.tif 000002
【特許請求の範囲】
【請求項１】
デジタル・データに基づいてビデオを再生し、編集するビデオの再生編集方法において
、前記デジタル・データは、インデックス・データとビデオ・データを有し、（ａ）前記
インデックス・データを読込み、（ｂ）読込まれた前記インデックス・データに基づいて
前記ビデオ・データを読込み、（ｃ）読込まれた前記ビデオ・データからビデオを再生し
、または編集し、
前記ビデオの編集があったときは、（ｄ）前記ビデオの編集に応じて、新たなインデッ
クス・データを作成し、（ｅ）前記新たなインデックス・データを記憶する
ことを特徴とするビデオの再生編集方法。
【請求項２】
前記ステップ（ａ）は、前記インデックス・データが圧縮されている場合には、前記イ
ンデックス・データを伸張することを特徴とする請求項１記載のビデオの再生編集方法。
【請求項３】
前記ステップ（ｂ）は、前記ビデオ・データを読込んだ後に、読込んだ前記ビデオ・デ
ータを伸張することを特徴とする請求項１又は２記載のビデオの再生編集方法。
【請求項４】
前記ステップ（ｄ）は、前記新たなインデックス・データを作成した後、前記新たなイ
ンデックス・データを圧縮することを含む請求項１乃至３記載のビデオの再生編集方法。
【請求項５】
デジタル・データに基づいてビデオを再生し、編集するビデオの再生編集方法において
、前記デジタル・データは、インデックス・データとビデオ・データを有し、前記ビデオ
・データは、オーディオ・データと画像データを含み、前記インデックス・データは、オ
ーディオ・データに対するオーディオ・データ・インデックスと画像データに対する画像
データ・インデックスを含み、前記オーディオ・データと前記画像データは、ビデオ・フ
ァイルとして形成され、前記オーディオ・インデックス・データと前記画像インデックス
・データは、インデックス・ファイルとして形成され、（ａ）前記インデックス・ファイ
ルから前記オーディオ・インデックス・データと前記画像インデックス・データを読込み
、（ｂ）読込まれた前記オーディオ・インデックス・データと前記画像インデックス・デ
ータに基づいて、前記ビデオ・ファイルから前記オーディオ・データと前記画像データを
読込み、（ｃ）読込まれた前記画像データと前記オーディオ・データからビデオを再生し
、または編集し、
前記ビデオの編集があったときは、（ｄ）前記ビデオの編集に応じて、画像データとオ
ーディオ・データから新たなインデックス・ファイルを作成し、（ｅ）前記新たなインデ
ックス・ファイルを記憶することを特徴とするビデオの再生編集方法。
【請求項６】
前記ステップ（ａ）は、前記インデックス・ファイルが圧縮されている場合には、前記
インデックス・ファイルを伸張することを特徴とする請求項５記載のビデオの再生編集方
法。
【請求項７】
前記ステップ（ｂ）は、前記オーディオ・データと前記画像データを読込んだ後に、前
記読込んだ前記オーディオ・データと前記画像データを伸張することを特徴とする請求項
５又は６記載のビデオの再生編集方法。
【請求項８】
前記ステップ（ｄ）は、前記新たなインデックス・ファイルを作成した後、前記新たな
インデックス・ファイルを圧縮することを含む請求項５乃至７記載のビデオの再生編集方
法。
【請求項９】
前記インデックス・ファイルは、複数のファイルで構成されることを特徴とする請求項
５乃至８記載のビデオの再生編集方法。
【請求項１０】
前記ビデオ・ファイルは、複数のファイルで構成されることを特徴とする請求項５乃至
９記載のビデオの再生編集方法。
【請求項１１】
デジタル・データに基づいてビデオを再生し、編集するビデオの再生編集方法において
、前記デジタル・データは、インデックス・データとビデオ・データから成り、前記ビデ
オ・データは、オーディオ・データと画像データを含み、前記インデックス・データは、
画像データに対する画像インデックス・データを含み、前記オーディオ・データと前記画
像インデックス・データは、ファイルとして形成され、（ａ）前記ファイルから前記画像
インデックス・データを読込み、（ｂ）読込まれた前記画像インデックス・データに基づ
いて前記画像データを読込み、（ｃ）読込まれた前記画像データと前記ファイルの前記オ
ーディオ・データからビデオを再生し、または編集し、
前記ビデオの編集があったときは、（ｄ）前記ビデオの編集に応じて、オーディオ・デ
ータと画像インデックス・データから新たなファイルを作成し、（ｅ）前記新たなファイ
ルを記憶する
ことを特徴とするビデオの再生編集方法。
【請求項１２】
前記ステップ（ａ）は、前記ファイルが圧縮されている場合には、前記ファイルを伸張
することを特徴とする請求項１１記載のビデオの再生編集方法。
【請求項１３】
前記ステップ（ｂ）は、前記画像データを読込んだ後に、前記読込んだ前記画像データ
を伸張することを特徴とする請求項１１又は１２記載のビデオの再生編集方法。
【請求項１４】
前記ステップ（ｄ）は、前記新たなファイルを作成した後、前記新たなファイルを圧縮
することを含む請求項１１乃至１３記載のビデオの再生編集方法。
【請求項１５】
前記ファイルは、複数のファイルで構成されることを特徴とする請求項１１乃至１４記
載のビデオの再生編集方法。
【請求項１６】
前記ステップ（ｃ）は、所定のアプリケーションによって処理され、
前記ステップ（ａ）及び（ｅ）で処理される前記ファイルは、前記所定のアプリケーシ
ョンによって制御されることを特徴とする請求項５乃至１５記載のビデオの再生編集方法
。
【請求項１７】
インデックス・データを含むインデックス・ファイルを読込む手段と、
前記インデックス・ファイルの前記インデックス・データに基づいてビデオ・ファイル
からビデオ・データを読込む手段と、
前記ビデオ・データからビデオを再生して、編集する手段と、
前記ビデオの編集に応じて、新たなインデックス・ファイルを作成する手段と、
前記新たなインデックス・ファイルを記憶する手段と、
を備えるビデオの再生編集装置。
【請求項１８】
前記ビデオ・データは、オーディオ・データと画像データとを含み、
前記インデックス・データは、前記オーディオ・データに対応するオーディオ・インデ
ックス・データと、前記画像データに対応する画像インデックス・データであることを特
徴とする請求項１７記載のビデオの再生編集装置。
【請求項１９】
前記インデックス・ファイルの前記インデックス・データは、画像データに対する画像
インデックス・データであり、
前記インデックス・ファイルは、前記画像インデックス・データとオーディオ・データ
を含み、
前記画像インデックス・データに基づいて読込まれる前記ビデオ・ファイルの前記ビデ
オ・データは、画像データであり、
前記ビデオの再生及び編集に用いられる前記ビデオ・データは、前記ビデオ・ファイル
から読込まれた前記画像データと、前記インデックス・ファイルに含まれる前記オーディ
オ・データであることを特徴とする請求項１７記載のビデオの再生編集装置。
【請求項２０】
前記インデックス・ファイルが圧縮されている場合には、前記インデックス・ファイル
を伸張する手段を有する請求項１７乃至１９記載のビデオの再生編集装置。
【請求項２１】
前記ビデオ・データを読込む手段は、読込んだ前記ビデオ・データを伸張する手段を含
むことを特徴とする請求項１７乃至２０記載のビデオの再生編集装置。
【請求項２２】
前記新たなインデックス・ファイルを作成する手段は、前記新たなインデックス・ファ
イルを作成した後、前記新たなインデックス・ファイルを圧縮する手段を含む請求項１７
乃至２１記載のビデオの再生編集装置。
【請求項２３】
前記ビデオ・データからビデオを再生して、編集する手段は、所定のアプリケーション
によって処理され、
前記インデックス・ファイルは、前記所定のアプリケーションによって制御されること
を特徴とする請求項１７乃至２２記載のビデオの再生編集装置。
【請求項２４】
前記インデックス・ファイルは、複数のファイルで構成されることを特徴とする請求項
１７乃至２３記載のビデオの再生編集方法。
【請求項２５】
前記ビデオ・ファイルは、複数のファイルで構成されることを特徴とする請求項１７乃
至２４記載のビデオの再生編集方法。
【発明の詳細な説明】
【技術分野】
【０００１】
本発明は、パーソナル・コンピュータ（以下「ＰＣ」とも言う）によってデジタル・デ
ータからなるビデオの再生や編集を行うビデオの再生編集方法及びその装置に関し、特に
、再生や編集をするビデオのデジタル・データ・ファイルの大きさに制限されないビデオ
の再生編集方法及びその装置に関するものである。
【背景技術】
【０００２】
従来から、ＰＣ上で画像とオーディオから成るデジタル・ビデオを再生し編集すること
が行われてきた。このＰＣにおけるデジタル・ビデオの再生や編集の技術分野では、開発
当初は、ハードウェア資源（ＣＰＵ（Central Processing Unit）の処理能力やメモリ・
サイズなど）の制約により、取り扱うことの出来るデータ・ファイルの大きさも限られて
おり、ＰＣ上で処理されるデジタル・ビデオも色数や所定時間当たりの処理フレーム数な
どで制限されていた。
【０００３】
ところが、近年においては、ハードウェアの機能向上や低価格化などに伴って、ＰＣで
のデジタル・ビデオの再生編集機能も向上し、取り扱えるデータ量も大幅に増加してきた
。
【０００４】
図５は、ＰＣにおける従来のビデオの再生及び編集機能について示す。従来のビデオの
再生及び編集においては、ＰＣ上に、「Video for Ｗｉｎｄｏｗｓ（登録商標）」などの
ビデオを再生及び編集するビデオ・アプリケーション５１と、デジタル・ビデオ・ファイ
ルを解析して圧縮及び伸張するコーデック５２と、圧縮された画像データとオーディオ・
データから成るＡＶＩ（Audio Visual Interleaved）ファイルなどの複数のデジタル・ビ
デオ・ファイルを記憶するＨＤＤ（Hard Disk Drive）などの記憶媒体５３とを有し、こ
れらによってビデオの再生及び編集を行っていた。
【０００５】
図６は、図５における従来のビデオの再生及び編集処理を示すフローチャートである。
図５及び図６において、ビデオ・アプリケーション５１は、記憶媒体５３に記憶されてい
る複数のデジタル・ビデオ・ファイルから１つのデジタル・ビデオ・ファイルを読み込む
（６０１）。このデジタル・ビデオ・ファイルは、圧縮されているため、ビデオ・アプリ
ケーション５１は、このデジタル・ビデオ・ファイルを伸張するための伸張コマンドをコ
ーデック５２に転送する（６０２）。コーデック５２は、ビデオ・アプリケーション５１
から伸張コマンドを受取ると、圧縮されているデジタル・ビデオ・ファイルを伸張して、
ビデオ・アプリケーション５１に返す（６０３）。
【０００６】
ビデオ・アプリケーション５１によって、伸張されたデジタル・ビデオ・ファイルを再
生しながらその内容を編集し、新たなデジタル・ビデオ・ファイルを作成する（６０４）
。新たに編集されたデジタル・ビデオ・ファイルは、ビデオ・アプリケーション５１から
の圧縮コマンドに応じて、コーデック５２によって圧縮され（６０５）、ビデオ・アプリ
ケーション５１によって記憶媒体５３に書込まれる（６０６）。このようにして、従来か
ら、ＰＣにおいてビデオの再生及び編集を行っていた。
【発明の開示】
【発明が解決しようとする課題】
【０００７】
しかしながら、従来のビデオの再生編集方法及びその装置においては、ビデオ・アプリ
ケーションによって処理できるデジタル・ビデオ・ファイルの大きさが、所定のサイズ以
下に制限されているため、再生及び編集することができるビデオの長さ（時間）が制限さ
れてしまい実用的でないという問題があった。例えば、ビデオ・アプリケーションとして
、Video for Ｗｉｎｄｏｗｓ（登録商標）を使用した場合、圧縮されたデジタル・ビデオ
・ファイル（ＡＶＩファイル）におけるデジタル・ビデオの１秒間当たりのデータ量は、
約３．５Ｍバイトになり、また、このアプリケーションの処理できるＡＶＩファイルの大
きさは最大で２Ｇバイトであるため、再生及び編集することができるビデオの長さは約９
分２０秒程度となり、長時間のビデオを処理することができなかった。
【０００８】
また、記憶媒体上に記憶されているデジタル・ビデオ・ファイルを編集して新たにデジ
タル・ビデオ・ファイルを作成した場合、記憶媒体上には、元のデジタル・ビデオ・ファ
イルと新たに編集されたデジタル・ビデオ・ファイルとが記憶されることになるため、膨
大な記憶領域が必要になるという問題があった。
【０００９】
従って、本発明の目的は、記憶領域の増加を防止し、長時間のビデオを処理することが
できるビデオの再生編集方法及びその装置を提供することである。
【課題を解決するための手段】
【００１０】
上記課題を解決するため、本発明のビデオの再生編集方法は、デジタル・データに基づ
いてビデオを再生し、編集するビデオの再生編集方法において、デジタル・データは、イ
ンデックス・データとビデオ・データを有し、（ａ）インデックス・データを読込み、（
ｂ）読込まれたインデックス・データに基づいてビデオ・データを読込み、（ｃ）読込ま
れたビデオ・データからビデオを再生し、または編集し、ビデオの編集があったときは、
（ｄ）ビデオの編集に応じて、新たなインデックス・データを作成し、（ｅ）新たなイン
デックス・データを記憶することを特徴とする。
【００１１】
ビデオの再生や編集の際に、インデックス・データに基づいてビデオ・データを読込む
ため、長時間のビデオを処理することができ、また、編集後に記憶するデータをインデッ
クス・データのみにすることができるため、記憶領域の増加を防止することができる。
【００１２】
また、上記課題を解決するため、本発明のビデオの再生編集方法は、上記構成に加え、
ステップ（ａ）は、インデックス・データが圧縮されている場合には、インデックス・デ
ータを伸張し、ステップ（ｂ）は、ビデオ・データを読込んだ後に、読込んだビデオ・デ
ータを伸張し、ステップ（ｄ）は、新たなインデックス・データを作成した後、新たなイ
ンデックス・データを圧縮することを特徴とする。
【００１３】
データを圧縮及び伸張することができるため、更に、記憶領域の増加に関連する問題を
解消することができる。
【００１４】
また、上記課題を解決するため、本発明のビデオの再生編集方法は、デジタル・データ
に基づいてビデオを再生し、編集するビデオの再生編集方法において、デジタル・データ
は、インデックス・データとビデオ・データを有し、ビデオ・データは、オーディオ・デ
ータと画像データを含み、インデックス・データは、オーディオ・データに対するオーデ
ィオ・インデックス・データと画像データに対する画像インデックス・データを含み、オ
ーディオ・データと画像データは、ビデオ・ファイルとして形成され、オーディオ・イン
デックス・データと画像インデックス・データは、インデックス・ファイルとして形成さ
れ、（ａ）インデックス・ファイルからオーディオ・インデックス・データと画像インデ
ックス・データを読込み、（ｂ）読込まれたオーディオ・インデックス・データと画像イ
ンデックス・データに基づいて、ビデオ・ファイルからオーディオ・データと画像データ
を読込み、（ｃ）読込まれた画像データとオーディオ・データからビデオを再生し、また
は編集し、ビデオの編集があったときは、（ｄ）ビデオの編集に応じて、画像データとオ
ーディオ・データから新たなインデックス・ファイルを作成し、（ｅ）新たなインデック
ス・ファイルを記憶することを特徴とする。
【００１５】
ビデオの再生及び編集の際に、インデックス・ファイルのオーディオ・インデックス・
データと画像インデックス・データに基づいてビデオ・ファイルからオーディオ・データ
と画像データを読込むため、長時間のビデオを処理することができ、また、編集後に記憶
するファイルをインデックス・ファイルのみにすることができるため、記憶領域の増加を
防止することができる。
【００１６】
また、上記課題を解決するため、本発明のビデオの再生編集方法は、上記構成に加え、
ステップ（ａ）は、インデックス・ファイルが圧縮されている場合には、インデックス・
ファイルを伸張し、ステップ（ｂ）は、オーディオ・データと画像データを読込んだ後に
、読込んだオーディオ・データと画像データを伸張し、ステップ（ｄ）は、新たなインデ
ックス・ファイルを作成した後、新たなインデックス・ファイルを圧縮すること特徴とす
る。
【００１７】
ファイル及びデータを圧縮及び伸張することができるため、更に、記憶領域の増加に関
連する問題を解消することができる。
【００１８】
更に、上記課題を解決するため、本発明のビデオの再生編集方法は、上記構成に加え、
インデックス・ファイルは、複数のファイルで構成され、また、ビデオ・ファイルは、複
数のファイルで構成されることを特徴とする。
【００１９】
インデックス・ファイル及びビデオ・ファイルを複数のファイルで構成することができ
るので、１つのビデオ・ファイルを複数のインデックス・ファイルから参照でき、また、
複数のビデオ・ファイルを１つインデックス・ファイルから参照でき、さらに、複数のビ
デオ・ファイルを複数のインデックス・ファイルから参照できる。このため、ビデオの再
生及び編集の幅が広がり、また、ファイルの種類や目的に応じてファイル管理を柔軟に行
うことができる。
【００２０】
また、上記課題を解決するため、本発明のビデオの再生編集方法は、デジタル・データ
に基づいてビデオを再生し、編集するビデオの再生編集方法において、デジタル・データ
は、インデックス・データとビデオ・データから成り、ビデオ・データは、オーディオ・
データと画像データを含み、インデックス・データは、画像データに対する画像インデッ
クス・データを含み、オーディオ・データと画像インデックス・データは、ファイルとし
て形成され、（ａ）ファイルから画像インデックス・データを読込み、（ｂ）読込まれた
画像インデックス・データに基づいて画像データを読込み、（ｃ）読込まれた画像データ
とファイルのオーディオ・データからビデオを再生し、または編集し、ビデオの編集があ
ったときは、（ｄ）ビデオの編集に応じて、オーディオ・データと画像インデックス・デ
ータから新たなファイルを作成し、（ｅ）新たなファイルを記憶することを特徴とする。
【００２１】
ビデオの再生及び編集の際に、ファイルの画像インデックス・データに基づいて画像デ
ータを読込むため、長時間のビデオを処理することができ、また、編集後に記憶するファ
イルをオーディオ・データと画像インデックス・データのファイルにすることができるた
め、記憶領域の増加を防止することができる。
【００２２】
また、上記課題を解決するため、本発明のビデオの再生編集方法は、上記構成に加え、
ステップ（ａ）は、ファイルが圧縮されている場合には、ファイルを伸張し、ステップ（
ｂ）は、画像データを読込んだ後に、読込んだ画像データを伸張し、ステップ（ｄ）は、
新たなファイルを作成した後、新たなファイルを圧縮することを特徴とする。
【００２３】
ファイル及びデータを圧縮及び伸張することができるため、更に、記憶領域の増加に関
連する問題を解消することができる。
【００２４】
更に、上記課題を解決するため、本発明のビデオの再生編集方法は、上記構成に加え、
ファイルは、複数のファイルで構成されることを特徴とする。
【００２５】
ファイルを複数のファイルで構成することができるため、画像データを複数のファイル
から参照できる。このため、ビデオの再生及び編集の幅が広がり、また、ファイルの種類
や目的に応じてファイル管理を柔軟に行うことができる。
【００２６】
また、更に、上記課題を解決するため、本発明のビデオの再生編集方法は、上記構成に
加え、ステップ（ｃ）は、所定のアプリケーションによって処理され、ステップ（ａ）及
び（ｅ）で処理されるファイルは、所定のアプリケーションによって制御されることを特
徴とする。
【００２７】
ビデオを再生及び編集するアプリケーションが、インデックス・データを処理するため
、アプリケーションの処理できるファイルのサイズに直接制約されることがなくなる。
【００２８】
また、上記課題を解決するため、本発明のビデオの再生編集装置は、インデックス・デ
ータを含むインデックス・ファイルを読込む手段と、インデックス・ファイルのインデッ
クス・データに基づいてビデオ・ファイルからビデオ・データを読込む手段と、ビデオ・
データからビデオを再生し、または編集する手段と、ビデオの編集に応じて、新たなイン
デックス・ファイルを作成する手段と、新たなインデックス・ファイルを記憶する手段と
、を備えることを特徴とし、更に、ビデオ・データは、オーディオ・データと画像データ
とを含み、インデックス・データは、オーディオ・データに対応するオーディオ・インデ
ックス・データと、画像データに対応する画像インデックス・データであるか、又は、イ
ンデックス・ファイルのインデックス・データは、画像インデックス・データであり、イ
ンデックス・ファイルは、画像インデックス・データとオーディオ・データを含み、画像
インデックス・データに基づいて読込まれるビデオ・ファイルのビデオ・データは、画像
データであり、ビデオの再生及び編集に用いられるビデオ・データは、ビデオ・ファイル
から読込まれた画像データと、インデックス・ファイルに含まれるオーディオ・データで
あることを特徴とする。
【００２９】
ビデオの再生及び編集の際に、インデックス・ファイルのインデックス・データに基づ
いてビデオ・ファイルからビデオ・データを読込むため、長時間のビデオを処理すること
ができ、また、編集後に記憶するファイルをインデックス・ファイルにすることができる
ため、記憶領域の増加を防止することができる。
【００３０】
また、上記課題を解決するため、本発明のビデオの再生編集装置は、上記構成に加え、
インデックス・ファイルが圧縮されている場合には、インデックス・ファイルを伸張する
手段を有し、ビデオ・データを読込む手段は、読込んだビデオ・データを伸張する手段を
含み、新たなインデックス・ファイルを作成する手段は、新たなインデックス・ファイル
を作成した後、新たなインデックス・ファイルを圧縮する手段を含むことを特徴とする。
【００３１】
ファイル及びデータを圧縮及び伸張することができるため、更に、記憶領域の増加に関
連する問題を解消することができる。
【００３２】
更に、上記課題を解決するため、本発明のビデオの再生編集装置は、上記構成に加え、
ビデオ・データからビデオを再生し、または編集する手段は、所定のアプリケーションに
よって処理され、インデックス・ファイルは、所定のアプリケーションによって制御され
ることを特徴とする。
【００３３】
ビデオを再生及び編集するアプリケーションが、インデックス・データを処理するため
、アプリケーションの処理できるファイルのサイズに直接制約されることがなくなる。
【００３４】
更に、上記課題を解決するため、本発明のビデオの再生編集装置は、上記構成に加え、
インデックス・ファイルは、複数のファイルで構成され、ビデオ・ファイルは、複数のフ
ァイルで構成されることを特徴とする。
【００３５】
インデックス・ファイル及びビデオ・ファイルを複数のファイルで構成することができ
るので、１つのビデオ・ファイルを複数のインデックス・ファイルから参照でき、また、
複数のビデオ・ファイルを１つインデックス・ファイルから参照でき、さらに、複数のビ
デオ・ファイルを複数のインデックス・ファイルから参照できる。このため、ビデオの再
生及び編集の幅が広がり、また、ファイルの種類や目的に応じてファイル管理を柔軟に行
うことができる。
【発明を実施するための最良の形態】
【００３６】
以下、図面を参照して本発明のビデオの再生編集方法及びその装置を説明する。
【００３７】
図１は、本発明によるビデオの再生及び編集を行うパーソナル・コンピュータ（ＰＣ）
のハードウェア構成を示す。このＰＣ１０は、ＰＣ１０のハードウェア及びソフトウェア
を全体的に制御するＣＰＵ（Central Processing Unit）１と、オペレーティング・シス
テム、アプリケーション、制御データなどを記憶するメモリ２と、デジタル・ビデオ・フ
ァイルなどのデータを記憶するＨＤＤ（Hard Disk Drive）などの記憶装置３と、データ
をバックアップしたり外部からデータを読込んだりするための補助記憶装置４と、ビデオ
を処理するビデオ制御部５と、外部から制御信号などを入力するキーボードやマウスなど
の入力装置６と、ビデオの画像や文字などを表示する表示装置７と、ビデオのオーディオ
を出力するスピーカ９と、各装置部を接続してデータや信号を転送するバス８とを備えて
いる。また、ビデオ制御部５は、外部のビデオ記録再生装置１１と接続するためのＩ／Ｏ
インタフェース５ａを有する。
【００３８】
ここで、補助記憶装置４は、ＭＯ（Magneto Optical）、８ｍｍビデオ、ＤＡＴ（Digit
al Audio Tape）、ＤＶＤ−ＲＡＭ（digital Video Dynamic Random Access Memory）な
どである。また、Ｉ／Ｏインタフェース５ａには、Component Digital D1, D2、ＶＳＢ、
ＩＥＥＥ（Institute of Electrical and Electronics Engineers）１３９４（Ｍ．Ｌａ
ｎ）、ＩＥＥＥ１３９４（ＤＶ．ｉＬｎｋ）、ＮＴＳＣ Composite、ＮＴＳＣ Component
（ＹＵＶ）、ＮＴＳＣ Separate（S-Video）、Audio Analog（ＲＣＡ）、Audio Digital
（ＳＰＤＩ／Ｆ） COAX or OPTI、 Audio Digital（ＡＥＳ／ＥＢＶ） COAX or OPTI、Ｎ
ＴＳＣ＆ＰＡＬなどがある。更に、ビデオ記録再生装置１１には、一般家庭用ＶＴＲ、業
務用ＶＴＲなどがある。
【００３９】
以上のような構成の下、記憶装置３又は補助記憶装置４には、デジタル・ビデオ・ファ
イルとして、インデックス・ファイルとビデオ・データ・ファイルが記憶されている。こ
のビデオ・データ・ファイルには、実際のビデオ・データである画像データとオーディオ
・データがストリーム状に構成されている。また、インデックス・ファイルには、再生さ
れるビデオ・データを特定するための画像インデックス情報とオーディオ・インデックス
情報とが含まれる。ＣＰＵ１は、記憶装置３又は補助記憶装置４に記憶されている圧縮さ
れているインデックス・ファイルを読込み、メモリ２に記憶する。ビデオ制御部５は、イ
ンデックス・ファイルを伸張し、画像インデックス情報及びオーディオ・インデックス情
報に応じて圧縮されているビデオ・データ・ファイルを記憶装置３又は補助記憶装置４か
ら読込み、これを伸張して再生し、ビデオの画像を表示装置７に表示し、オーディオをス
ピーカ９から出力する。表示装置７に表示された画像及びスピーカ９から出力されたオー
ディオに応じて、入力装置６のキーボードやマウスを操作しながら再生されたビデオの編
集を行い、新たにビデオを作成する。この新たに作成されたビデオに応じた画像インデッ
クス情報及びオーディオ・インデックス情報をインデックス・ファイルとして作成し、ビ
デオ制御部５は、この新たに作成されたインデックス・ファイルを圧縮して記憶装置３又
は補助記憶装置４に書込んで記憶する。また、ビデオ制御部５は、最初に再生したビデオ
や新たに作成したビデオをＩ／Ｏインタフェース５ａを介してビデオ記録再生装置１１に
記録することができる。この様にして、ビデオの再生及び編集を、ＰＣ１０上でおこなう
ことができる。
【００４０】
図２は、本発明におけるビデオの再生及び編集機能を具体的に示す。図２において、ビ
デオの再生及び編集機能として、ビデオの再生及び編集を制御するビデオ・アプリケーシ
ョン２１と、デジタル・ビデオ・ファイルを圧縮及び伸張するコーデック２３と、ビデオ
・アプリケーション２１とコーデック２３とを接続し、データの転送を行うビデオ・イン
タフェース（ＩＦ）２２と、デジタル・ビデオ・ファイルの画像インデックス情報とオー
ディオ・インデックス情報を含むインデックス・ファイル２４と、実際の画像データとオ
ーディオ・データがストリーム状に構成されているビデオ・データ・ファイル２５とを有
している。また、コーデック２３は、インデックス・ファイル２４を解析し、インデック
ス・ファイル２４の画像インデックス情報及びオーディオ・インデックス情報に応じてビ
デオ・データ・ファイル２５を読み書きするファイル制御部２３ａと、インデックス・フ
ァイル２４やビデオ・データ・ファイル２５を圧縮及び伸張するファイル処理部２３ｂと
を備えている。
【００４１】
図３は、図２におけるビデオの再生及び編集処理を示すフローチャートである。図２及
び図３において、ビデオ・アプリケーション２１は、インデックス・ファイル２４からス
トリーム状の所定のインデックス・ファイルを読込み（３０１）、ビデオＩＦ２２を介し
てコーデック２３のファイル制御部２３ａに渡す（３０２）。ファイル制御部２３ａは、
インデックス・ファイルが圧縮されているときには（３０３）、ファイル処理部２３ｂに
圧縮インデックス・ファイルを渡し、ファイル処理部２３ｂで伸張して（３０４）からイ
ンデックス・ファイルのインデックス情報を解析する（３０５）。また、インデックス・
ファイルが圧縮されていない場合（３０３）には、そのままインデックス・ファイルのイ
ンデックス情報を解析する（３０５）。ファイル制御部２３ａは、インデックス・ファイ
ルの画像インデックス情報及びオーディオ・インデックス情報に応じてビデオ・データ・
ファイル２５から所定のビデオ・データを読込む（３０６）。このビデオ・データは、圧
縮されているため、ファイル制御部２３ａからファイル処理部２３ｂに渡され、ファイル
処理部２３ｂで伸張される（３０７）。伸張されたビデオ・データは、ファイル制御部２
３ａ及びビデオＩＦ２２を介してビデオ・アプリケーション２１に転送され、ビデオ・ア
プリケーション２１で再生及び編集される（３０８）。ここで、ビデオ・アプリケーショ
ン２１でビデオの編集がなかった場合（３０９）には、そのまま処理を終了する。ビデオ
・アプリケーション２１でビデオの編集があった場合（３０９）には、ビデオ・アプリケ
ーション２１から編集されたビデオ・データをビデオＩＦ２２を介してコーデック２３の
ファイル制御部２３ａに転送する（３１０）。ファイル制御部２３ａは、編集されたビデ
オ・データに応じて画像インデックス情報及びオーディオ・インデックス情報をインデッ
クス・ファイルとして作成し（３１１）、圧縮の必要があれば（３１２）、ファイル処理
部２３ｂで圧縮した（３１３）後、圧縮しない場合（３１２）は、そままの形でビデオＩ
Ｆ２２及びビデオ・アプリケーション２１を介してインデックス・ファイル２４に書込む
（３１４）。
【００４２】
以上のように、本発明のビデオの再生編集方法及びその装置によれば、デジタル・ビデ
オ・ファイルをインデックス・ファイルとビデオ・データ・ファイルとに分割し、ビデオ
・アプリケーションで処理するデジタル・ビデオ・ファイルをインデックス・ファイルと
し、コーデックでこのインデックス・ファイルを解析し、そのインデックス情報に応じて
、実際の画像データとオーディオ・データがストリーム状に構成されているビデオ・デー
タ・ファイルを圧縮及び伸張することとしたので、ビデオ・アプリケーションで処理され
るファイルの大きさを、従来に比べて非常に小さくすることができ、長時間のビデオの再
生及び編集を行うことができるようになった。また、編集後に記憶されるファイルは、非
常に小さいサイズのインデックス・ファイルのみであるため、従来のように実際の画像や
オーディオ・データを記憶するのに比べて、記憶装置の容量の増加を大幅に削減すること
ができる。
【００４３】
以上、本発明のビデオの再生編集方法及びその装置について説明したが、インデックス
・ファイルは、そのサイズが小さいので圧縮又は非圧縮どちらの形式でもよく、ビデオ・
データ・ファイルは、そのサイズが大きいため圧縮されているのが望ましい。
【００４４】
また、インデックス情報によって処理されるビデオ・データは、画像データ又はオーデ
ィオ・データの両方のみならず、どちらか一方のデータであってもよい。この場合には、
インデックス・ファイル内には、インデックス処理される方のデータのインデックス情報
と、インデックス処理されない実際のデータを含むようにする。
【００４５】
更に、１つのインデックス・ファイルのインデックス情報で、複数のビデオ・データ・
ファイルに対応することができる。例えば、１つのインデックス・ファイルに画像インデ
ックス情報とオーディオ・インデックス情報を有し、これに対応するビデオ・データ・フ
ァイルを画像データ・ファイルとオーディオ・データ・ファイルの２つとすることができ
る。また、これらビデオ・データ・ファイルを複数対応させることもできる。
【００４６】
また、逆に、複数のインデックス・ファイルから１つのビデオ・データ・ファイルを参
照することもできる。即ち、１つのビデオ・データ・ファイルに対して、上述の編集処理
などによって複数のインデックス・ファイルを作成し、対応させることができる。
【００４７】
また、ビデオ・アプリケーション２１でビデオ・データの再生及び編集時に、図１で示
したビデオ記録再生装置１１にビデオを記録するようにしてもよい。
【００４８】
更に、ＰＣをネットワークに接続して、インデックス・ファイルやビデオ・データ・フ
ァイルのデジタル・ビデオ・ファイルをネットワークからダウンロードするようにしても
よい。
【実施例１】
【００４９】
以上、本発明のビデオの再生編集方法及びその装置について実施の一形態を示したが、
以下に、ビデオ・アプリケーション２１（図２）が、Video for Ｗｉｎｄｏｗｓ（登録商
標）の場合に、このVideo for Ｗｉｎｄｏｗｓ（登録商標）が実際に処理できるデジタル
・ビデオ・ファイル（ＡＶＩ（Audio Visual Interleaved）ファイル：ｘｘｘ．ＡＶＩ）
の構成について、従来の場合と比較して説明する。
【００５０】
図４は、デジタル・ビデオ・ファイルの構成を示す。図４（ａ）は、従来のＡＶＩファ
イルを示し、図４（ｂ）〜（ｄ）は、本発明におけるＡＶＩファイル（インデックス・フ
ァイル）の構成を示し、図４（ｅ）は、本発明におけるオーディオ・データ・ファイル及
び画像データ・ファイルを示す。また、図４（ｂ）は、画像データ及びオーディオ・デー
タの両方をインデックス情報とした場合を示し、図４（ｃ）は、画像データのみをインデ
ックス情報とした場合を示し、図４（ｄ）は、オーディオ・データのみをインデックス情
報とした場合を示す。
【００５１】
ここで、デジタル・ビデオ・ファイルのそれぞれのデータ・サイズは、ＲＩＦＦ（Reso
urce Interchange File Format）ヘッダ４１、画像ヘッダ４２、及びオーディオ・ヘッダ
４３がそれぞれ２０４８バイト、１フレーム当たりのオーディオ・データ４４が平均約４
２７２バイト（可変）、画像データ４５が１２００００バイト（固定）、オーディオ・イ
ンデックス情報４６及び画像インデックス情報４７がそれぞれ約４０バイト（可変）であ
る。尚、ＲＩＦＦヘッダ４１は、ＡＶＩファイルが処理されるコーデックスの決定に使用
される。
【００５２】
また、各インデックス情報４６、４７は、実際の画像データ４５及びオーディオ・デー
タ４４を有するファイルと、必要なデータ４４、４５のそのファイル内での位置を示して
いる。例えば、インデックス情報４６又は４７が「D:\abc.DV n」のように記載されてい
る場合には、必要なデータ４４又は４５がａｂｃ．ＤＶというファイルのｎ番目のデータ
であることを示し、コーデック２３のファイル制御部２３ａは、この情報を基に、記憶装
置３のＤディスクのａｂｃ．ＤＶファイルを検索し、このａｂｃ．ＤＶファイルのヘッダ
４２、４３を参照してｎ番目のデータを読み出す。
【００５３】
ビデオ・アプリケーション２１がVideo for Ｗｉｎｄｏｗｓ（登録商標）の場合、処理
できるＡＶＩファイルの最大容量は、２Ｇバイトであるため、図４（ａ）に示したような
、従来のＡＶＩファイルにおいては、最大１７２８０フレーム分のビデオ・データ４４、
４５しか処理できず、１秒分のビデオ映像に対して約３０フレーム（約３．５Ｍバイト）
分のビデオ・データ４４、４５が必要となるため、最大ビデオ時間は約９分２０秒となる
。
【００５４】
これに対して、図４（ｂ）で示した本発明によるＡＶＩファイルの場合、このＡＶＩフ
ァイルは、オーディオ・データ４４及び画像データ４５の両方のインデックス情報４６、
４７で構成されている。各インデックス情報４６、４７のサイズは、それぞれ約４０バイ
トであるので、１フレーム当たり約８０バイトのサイズになっている。従って、１フレー
ム当たりの容量は、従来のＡＶＩファイルに比べて約１／１５５３（８０バイト／１２４
２７２バイト）となり、本発明の場合、Video for Ｗｉｎｄｏｗｓ（登録商標）で処理で
きる最大ビデオ時間は、約２４０時間（１４４００分）以上になり、従来に比べ実用性に
優れたものになっている。更に、ビデオ編集で新たに作成されたＡＶＩファイルも、従来
のＡＶＩファイルに比べ、約１／１５５３になるので、記憶装置の容量を殆ど意識せずに
複数の編集ファイル（ＡＶＩファイル）を持つことができ、従来に比べて、多種多様のビ
デオ・コンテンツを作成できるようになった。
【００５５】
また、同様に、図４（ｃ）は、画像データ４５のみをインデックス情報４７とした場合
を示し、この場合には、ＡＶＩファイルの１フレームが約１／２９になるため、Video fo
r Ｗｉｎｄｏｗｓ（登録商標）で処理できる最大ビデオ時間は、約２６０分以上になり、
従来に比べ実用性に優れたものになり、編集後のＡＶＩファイルによる記憶容量の増加も
従来に比べて約１／２９に抑えることができる。また、図４（ｄ）は、オーディオ・デー
タ４５のみをインデックス情報４６とした場合を示すが、Video for Ｗｉｎｄｏｗｓ（登
録商標）場合には、ＡＶＩファイルの１フレームが約３％程小さくなる程度であり、本発
明の効果はほとんどない。
【００５６】
従って、ビデオ・アプリケーション２１がVideo for Ｗｉｎｄｏｗｓ（登録商標）の場
合には、図４（ｂ）及び（ｃ）で示したように、画像データ４５をインデックス情報４７
によって処理することが望ましい。
【００５７】
以上、本発明のビデオの再生編集方法及びその装置の実施例としてビデオ・アプリケー
ションがVideo for Ｗｉｎｄｏｗｓ（登録商標）の場合を説明したが、画像データやオー
ディオ・データを処理するアプリケーションであれば、本発明を適用することができ、上
述の実施の形態や実施例に限定されるものではない。
【００５８】
また、１つのインデックス情報は、１つのフレームに対応するようにしてもよく、所定
数の連続したフレームに対応するようにしてもよい。
【００５９】
以上述べた通り、本発明のビデオの再生編集方法及びその装置によれば、デジタル・ビ
デオ・ファイルをインデックス・ファイルとビデオ・データ・ファイルとに分割し、ビデ
オ・アプリケーションで処理するデジタル・ビデオ・ファイルをインデックス・ファイル
とし、コーデックでこのインデックス・ファイルを解析し、そのインデックス情報に応じ
て、実際の画像データとオーディオ・データがストリーム状に構成されているビデオ・デ
ータ・ファイルを圧縮及び伸張することとしたので、ビデオ・アプリケーションで処理さ
れるファイルの大きさを、従来に比べて非常に小さくすることができ、長時間のビデオの
再生及び編集を行うことができるようになった。また、編集後に記憶されるファイルは、
非常に小さいサイズのインデックス・ファイルのみであるため、従来のように実際の画像
やオーディオ・データを記憶するのに比べて、記憶装置の容量の増加を大幅に削減するこ
とができるようになった。
【００６０】
特に、ビデオ・アプリケーションをVideo for Ｗｉｎｄｏｗｓ（登録商標）にした場合
、処理できる最大ビデオ時間は、約２４０時間（１４４００分）以上になり、従来の約１
５５３倍になっている。更に、ビデオ編集で新たに作成されたＡＶＩファイルも、従来の
ＡＶＩファイルに比べ、約１／１５５３になるので、記憶装置の容量を殆ど意識せずに複
数の編集ファイルを持つことができ、従来に比べて、多種多様のビデオ・コンテンツを作
成できるようになった。
【図面の簡単な説明】
【００６１】
【図１】本発明によるビデオの再生及び編集を行うパーソナル・コンピュータ（ＰＣ）のハードウェア構成を示す図である。
【図２】本発明におけるビデオの再生及び編集機能を示すブロック図である。
【図３】図２におけるビデオの再生及び編集処理を示すフローチャートである。
【図４】デジタル・ビデオ・ファイルの構成を示す図である。
【図５】従来のビデオの再生及び編集機能を示すブロック図である。
【図６】図５における従来のビデオの再生及び編集処理を示すフローチャートである。
【符号の説明】
【００６２】
１…ＣＰＵ、２…メモリ、３…記憶装置、４…補助記憶装置、５…ビデオ制御部、５ａ
…Ｉ／Ｏインタフェース、６…入出力装置、７…表示装置、８…バス、９…スピーカ、１
０…パーソナル・コンピュータ、１１…ビデオ記録再生装置、２１，５１…ビデオ・アプ
リケーション、２２…ビデオ・インタフェース、２３，５２…コーデック、２３ａ…ファ
イル制御部、２３ｂ…ファイル処理部、２４…インデックス・ファイル、２５…ビデオ・
データ・ファイル、４１…ＲＩＦＦヘッダ、４２…画像ヘッダ、４３…オーディオ・ヘッ
ダ、４４…オーディオ・データ、４５…画像データ、４６…オーディオ・インデックス情
報、４７…画像インデックス情報、５３…記憶媒体。
【図１】
2008091017.tif 000003
【図２】
2008091017.tif 000004
【図３】
2008091017.tif 000005
【図４】
2008091017.tif 000006
【図５】
2008091017.tif 000007
【図６】
2008091017.tif 000008
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
デジタル・データに基づいてビデオを再生し、編集するビデオの再生編集方法において、前記デジタル・データは、インデックス・データとビデオ・データを有し、
（ａ）前記インデックス・データを読込み、
（ｂ）読込まれた前記インデックス・データに基づいて前記ビデオ・データを読込み、
（ｃ）読込まれた前記ビデオ・データからビデオを再生し、または編集し、
前記ビデオの編集があったときは、
（ｄ）前記ビデオの編集に応じて、新たなインデックス・データを作成し、
（ｅ）前記新たなインデックス・データを記憶し、
一つの前記インデックス・データは、前記ビデオ・データの所定数の連続したフレームに対応する
ことを特徴とするビデオの再生編集方法。
【請求項２】
デジタル・データに基づいてビデオを再生し、編集するビデオの再生編集方法において、前記デジタル・データは、インデックス・データとビデオ・データを有し、前記ビデオ・データは、オーディオ・データと画像データを含み、前記インデックス・データは、オーディオ・データに対するオーディオ・データ・インデックスと画像データに対する画像データ・インデックスを含み、前記オーディオ・データと前記画像データは、ビデオ・ファイルとして形成され、前記オーディオ・インデックス・データと前記画像インデックス・データは、インデックス・ファイルとして形成され、
（ａ）前記インデックス・ファイルから前記オーディオ・インデックス・データと前記画像インデックス・データを読込み、
（ｂ）読込まれた前記オーディオ・インデックス・データと前記画像インデックス・データに基づいて、前記ビデオ・ファイルから前記オーディオ・データと前記画像データを読込み、
（ｃ）読込まれた前記画像データと前記オーディオ・データからビデオを再生し、または編集し、
前記ビデオの編集があったときは、
（ｄ）前記ビデオの編集に応じて、画像データとオーディオ・データから新たなインデックス・ファイルを作成し、
（ｅ）前記新たなインデックス・ファイルを記憶し、
一つの前記インデックス・データは、前記ビデオ・データの所定数の連続したフレームに対応することを特徴とするビデオの再生編集方法。
【請求項３】
デジタル・データに基づいてビデオを再生し、編集するビデオの再生編集方法において、前記デジタル・データは、インデックス・データとビデオ・データから成り、前記ビデオ・データは、オーディオ・データと画像データを含み、前記インデックス・データは、画像データに対する画像インデックス・データを含み、前記オーディオ・データと前記画像インデックス・データは、ファイルとして形成され、
（ａ）前記ファイルから前記画像インデックス・データを読込み、
（ｂ）読込まれた前記画像インデックス・データに基づいて前記画像データを読込み、
（ｃ）読込まれた前記画像データと前記ファイルの前記オーディオ・データからビデオを再生し、または編集し、
前記ビデオの編集があったときは、
（ｄ）前記ビデオの編集に応じて、オーディオ・データと画像インデックス・データから新たなファイルを作成し、
（ｅ）前記新たなファイルを記憶し、
一つの前記インデックス・データは、前記ビデオ・データの所定数の連続したフレームに対応することを特徴とするビデオの再生編集方法。
【請求項４】
インデックス・データを含むインデックス・ファイルを読込む手段と、
前記インデックス・ファイルの前記インデックス・データに基づいてビデオ・ファイルからビデオ・データを読込む手段と、
前記ビデオ・データからビデオを再生して、編集する手段と、
前記ビデオの編集に応じて、新たなインデックス・ファイルを作成する手段と、
前記新たなインデックス・ファイルを記憶する手段とを有し、
一つの前記インデックス・データは、前記ビデオ・データの所定数の連続したフレームに対応することを特徴とするビデオの再生編集装置。
【請求項５】
前記ビデオ・データは、オーディオ・データと画像データとを含み、
前記インデックス・データは、前記オーディオ・データに対応するオーディオ・インデックス・データと、前記画像データに対応する画像インデックス・データであることを特徴とする請求項４に記載のビデオの再生編集装置。
【請求項６】
前記インデックス・ファイルの前記インデックス・データは、画像データに対する画像インデックス・データであり、
前記インデックス・ファイルは、前記画像インデックス・データとオーディオ・データ 
を含み、
前記画像インデックス・データに基づいて読込まれる前記ビデオ・ファイルの前記ビデオ・データは、画像データであり、
前記ビデオの再生及び編集に用いられる前記ビデオ・データは、前記ビデオ・ファイルから読込まれた前記画像データと、前記インデックス・ファイルに含まれる前記オーディオ・データであることを特徴とする請求項４に記載のビデオの再生編集装置。
【手続補正２】
【補正対象書類名】明細書
【補正対象項目名】００１０
【補正方法】変更
【補正の内容】
【００１０】
上記課題を解決するため、本発明のビデオの再生編集方法は、デジタル・データに基づいてビデオを再生し、編集するビデオの再生編集方法において、デジタル・データは、インデックス・データとビデオ・データを有し、（ａ）インデックス・データを読込み、（ｂ）読込まれたインデックス・データに基づいてビデオ・データを読込み、（ｃ）読込まれたビデオ・データからビデオを再生し、または編集し、ビデオの編集があったときは、（ｄ）ビデオの編集に応じて、新たなインデックス・データを作成し、（ｅ）新たなインデックス・データを記憶し、一つの前記インデックス・データは、前記ビデオ・データの所定数の連続したフレームに対応することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、上記課題を解決するため、本発明のビデオの再生編集方法は、デジタル・データに基づいてビデオを再生し、編集するビデオの再生編集方法において、デジタル・データは、インデックス・データとビデオ・データを有し、ビデオ・データは、オーディオ・データと画像データを含み、インデックス・データは、オーディオ・データに対するオーディオ・インデックス・データと画像データに対する画像インデックス・データを含み、オーディオ・データと画像データは、ビデオ・ファイルとして形成され、オーディオ・インデックス・データと画像インデックス・データは、インデックス・ファイルとして形成され、（ａ）インデックス・ファイルからオーディオ・インデックス・データと画像インデックス・データを読込み、（ｂ）読込まれたオーディオ・インデックス・データと画像インデックス・データに基づいて、ビデオ・ファイルからオーディオ・データと画像データを読込み、（ｃ）読込まれた画像データとオーディオ・データからビデオを再生し、または編集し、ビデオの編集があったときは、（ｄ）ビデオの編集に応じて、画像データとオーディオ・データから新たなインデックス・ファイルを作成し、（ｅ）新たなインデックス・ファイルを記憶し、一つの前記インデックス・データは、前記ビデオ・データの所定数の連続したフレームに対応することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
また、上記課題を解決するため、本発明のビデオの再生編集方法は、デジタル・データに基づいてビデオを再生し、編集するビデオの再生編集方法において、デジタル・データは、インデックス・データとビデオ・データから成り、ビデオ・データは、オーディオ・データと画像データを含み、インデックス・データは、画像データに対する画像インデックス・データを含み、オーディオ・データと画像インデックス・データは、ファイルとして形成され、（ａ）ファイルから画像インデックス・データを読込み、（ｂ）読込まれた画像インデックス・データに基づいて画像データを読込み、（ｃ）読込まれた画像データとファイルのオーディオ・データからビデオを再生し、または編集し、ビデオの編集があったときは、（ｄ）ビデオの編集に応じて、オーディオ・データと画像インデックス・データから新たなファイルを作成し、（ｅ）新たなファイルを記憶し、一つの前記インデックス・データは、前記ビデオ・データの所定数の連続したフレームに対応することを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】変更
【補正の内容】
【００２８】
また、上記課題を解決するため、本発明のビデオの再生編集装置は、インデックス・データを含むインデックス・ファイルを読込む手段と、インデックス・ファイルのインデックス・データに基づいてビデオ・ファイルからビデオ・データを読込む手段と、ビデオ・データからビデオを再生し、または編集する手段と、ビデオの編集に応じて、新たなインデックス・ファイルを作成する手段と、新たなインデックス・ファイルを記憶する手段とを有し、一つの前記インデックス・データは、前記ビデオ・データの所定数の連続したフレームに対応することを特徴とすることを特徴とし、更に、ビデオ・データは、オーディオ・データと画像データとを含み、インデックス・データは、オーディオ・データに対応するオーディオ・インデックス・データと、画像データに対応する画像インデックス・データであるか、又は、インデックス・ファイルのインデックス・データは、画像インデックス・データであり、インデックス・ファイルは、画像インデックス・データとオーディオ・データを含み、画像インデックス・データに基づいて読込まれるビデオ・ファイルのビデオ・データは、画像データであり、ビデオの再生及び編集に用いられるビデオ・データは、ビデオ・ファイルから読込まれた画像データと、インデックス・ファイルに含まれるオーディオ・データであることを特徴とする。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】